(57)【要約】【課題】  構造を複雑化することなく、空調風をフロントガラスと乗員との間のスペースに向けて吹き出させることができるベンチレータを提供する。【解決手段】  車室内前方のインストルメントパネル２に上方吹き出し口３を設け、この上方吹き出し口３に空調風を案内する上方ダクト４を接続し、この上方ダクト４の風軸方向Ｆがフロントガラス５と乗員との間のスペースに向かう方向に設定されたベンチレータ１Ａであって、上方吹き出し口３を車両前後方向Ａに長い長孔状に形成した。【選択図】      図１
2005289148.tif 000002
【特許請求の範囲】
【請求項１】
車室内前方のインストルメントパネル（２），（１０）に吹き出し口（３），（１６）を設け、この吹き出し口（３），（１６）に空調風を案内するダクト（４）を接続し、このダクト（４）の風軸方向（Ｆ）がフロントガラス（５），（１５）と乗員との間のスペースに向かう方向に設定されたベンチレータ（１Ａ），（１Ｂ）であって、
前記吹き出し口（３），（１６）を車両前後方向（Ａ）に長い長孔状に形成したことを特徴とするベンチレータ（１Ａ），（１Ｂ）。
【請求項２】
請求項１記載のベンチレータ（１Ａ），（１Ｂ）であって、
前記ダクト（４）の最下流位置の下部には、前記吹き出し口（３），（１６）に向かうに従って徐々に下方に傾斜するガイド面（６），（１７）を設けたことを特徴とするベンチレータ（１Ａ），（１Ｂ）。
【発明の詳細な説明】
【技術分野】
【０００１】
本発明は、フロントガラスと乗員との間に向けて空調風を吹き出す吹き出し口を備えたベンチレータに関する。
【背景技術】
【０００２】
この種の従来のベンチレータとしては、図５に示すものがある（特許文献１参照）。図５に示すように、車室内前方にはインストルメントパネル１００が設けられ、このインストルメントパネル１００には下方吹き出し口１０１と上方吹き出し口１０２とが設けられている。下方吹き出し口１０１にはインストルメントパネル１００内に配索された下方ダクト１０３が接続され、この下方ダクト１０３の下方吹き出し口１０１側は乗員の上半身方向が風軸方向ｆに設定されている。上方吹き出し口１０２にはインストルメントパネル１００内に配索された上方ダクト１０４が接続され、この上方ダクト１０４の上方吹き出し口１０２側はフロントガラス１０５と乗員との間が風軸方向Ｆに設定されている。
【０００３】
空調風を下方吹き出し口１０１から吹き出させることにより、乗員に対し空調風を直接当てることができる。又、空調風を上方吹き出し口１０２から吹き出させることにより、乗員に対し空調風を直接当てることなく車室内を所望の室温に保持することができる。
【特許文献１】特開平６−３２８９３５号公報
【発明の開示】
【発明が解決しようとする課題】
【０００４】
ところで、上方吹き出し口１０２はインストルメントパネル１００のほぼ水平部に設定され、物が上方ダクト１０４内に落下しないように多数の小さな円形や六角形の孔として形成される。そのため、図６に詳しく示すように、上方吹き出し口１０２は面垂直方向の開口幅ｄ１に対して風軸方向Ｆの実質開口幅ｄ２が非常に狭くなる。このように風軸方向Ｆの実質開口幅ｄ２が非常に狭いと、空調風が上方吹き出し口１０２を通過する際に、空調風の大部分が上方吹き出し口１０２の内壁に突き当たって上方側に方向変更される。風向きが変更された空調風はフロントガラス１０５に当たり、フロントガラス１０５の内面が冷やされて窓曇りが発生するという問題があった。
【０００５】
ここで、インストルメントパネル１００に風向板を設けて空調風を所望の向きに変更することが考えられるが、構造が複雑になる。
【０００６】
そこで、本発明は、構造を複雑化することなく、空調風をフロントガラスと乗員との間のスペースに向けて吹き出させることができるベンチレータを提供することを目的とする。
【課題を解決するための手段】
【０００７】
上記目的を達成する請求項１の発明は、車室内前方のインストルメントパネルに吹き出し口を設け、この吹き出し口に空調風を案内するダクトを接続し、このダクトの風軸方向がフロントガラスと乗員との間のスペースに向かう方向に設定されたベンチレータであって、前記吹き出し口を車両前後方向に長い長孔状に形成したことを特徴とする。
【０００８】
請求項２の発明は、請求項１記載のベンチレータであって、前記ダクトの最下流位置の下部には、前記吹き出し口に向かうに従って徐々に下方に傾斜するガイド面を設けたことを特徴とする。
【発明の効果】
【０００９】
請求項１の発明によれば、吹き出し口における風軸方向の実質開口幅が広くなり、空調風が吹き出し口を通過する際に、吹き出し口の内壁に突き当たる割合が低く、空調風がダクトのほぼ風軸方向に沿った方向に吹き出す。このように所望の向きに空調風を吹き出させるのに、吹き出し口の形状を単に長孔状に形成すれば良い。以上より、構造を複雑化することなく、空調風をフロントガラスと乗員との間のスペースに向けて吹き出させることができる。
【００１０】
請求項２の発明によれば、請求項１の発明の効果に加え、空調風の風向きがコアンダ効果により下方に矯正されるため、空調風の吹き出し方向が下方に修正される。従って、空調風がフロントガラスに当たる事態を確実に防止できる。
【発明を実施するための最良の形態】
【００１１】
以下、本発明の実施形態を図面に基づいて説明する。
【００１２】
図１（ａ）及び図１（ｂ）は本発明の第１実施形態を示し、図１（ａ）はベンチレータ１Ａの概略側面図、図１（ｂ）は上方吹き出し口３の正面図である。
【００１３】
ベンチレータ１Ａは、図１（ａ）に示すように、車室内前方に配置されたインストルメントパネル２に吹き出し口である多数の上方吹き出し口３を有している。この多数の上方吹き出し口３にはインストルメントパネル２内に配索されたダクトである上方ダクト４が接続され、この上方ダクト４の上方吹き出し口３側はフロントガラス５と乗員（図示せず）との間のスペースに風軸方向Ｆが設定されている。又、多数の上方吹き出し口３は、図１（ｂ）に詳しく示すように、車両前後方向Ａ及び車両幅方向Ｂに配列され、車両前後方向Ａに長い長孔状に形成されている。具体的には、多数の上方吹き出し口３は、車両前後方向Ａに隣り合う列が車両幅方向Ｂに１／２ピッチだけシフトして整列され、孔形状が長方形状で、且つ、車両前後方向Ａの中央から両端方向に向かって徐々に幅が小さくなる形状を有している。
【００１４】
上方ダクト４の最下流位置の下部には、上方吹き出し口３に向かうに従って徐々に上方に傾斜し、最上箇所を過ぎると今度は下方に傾斜する略円弧状のガイド面６が設けられている。
【００１５】
尚、インストルメントパネル２には下方吹き出し口（図示せず）が設けられている。この下方吹き出し口（図示せず）には、インストルメントパネル２内に配索された下方ダクト（図示せず）が接続され、この下方ダクトの下方吹き出し口側は乗員の上半身方向が風軸方向に設定されている。
【００１６】
上記構成において、各上方吹き出し口３が車両前後方向Ａに長孔形状に形成されているので、車両前後方向Ａにおける面直交方向の開口幅ｄ１が従来例に較べて非常に広くなると共に、風軸方向Ｆの実質開口幅ｄ２が従来例に較べて広くなる。従って、空調風が上方吹き出し口３を通過する際に、上方吹き出し口３の内壁に突き当たる割合が低くなるため、空調風が上方ダクト４のほぼ風軸方向Ｆに沿って上方吹き出し口３より吹き出される。そして、このようにほぼ所望の向きに空調風を吹き出させるのに、上方吹き出し口３の形状を単に長孔状に変更すれば良い。以上より、構造を複雑化することなく、空調風をフロントガラス５と乗員（図示せず）との間に向けて吹き出させることができる。
【００１７】
上記第１実施形態では、上方ダクト４の下部にガイド面６を設けたので、空調風の風向きがコアンダ効果（曲面付近を流れる流体はその曲面に沿って流れる性質）により下方に矯正されるため、空調風の吹き出し方向を下方に修正できる。従って、空調風がフロントガラス５に当たる事態を確実に防止できる。
【００１８】
図２（ａ）〜（ｅ）は、上方吹き出し口３の各変形例の平面図である。図２（ａ）の上方吹き出し口３ａは、車両幅方向Ｂ及び車両前後方向Ａに配列され、車両前後方向Ａに隣り合う列が車両幅方向Ｂに１／２ピッチだけシフトし、孔形状が正確な長方形状を有している。図２（ｂ）の上方吹き出し口３ｂは、車両前後方向Ａ及び車両幅方向Ｂに配列され、車両前後方向Ａ及び車両幅方向Ｂに隣り合う列がそれぞれ１／２ピッチだけ車両幅方向Ｂ及び車両前後方向Ａにそれぞれシフトし、孔形状が正確な長方形状を有している。図２（ｃ）の上方吹き出し口３ｃは、その配列が図１（ｂ）や図２（ａ）と同様であり、孔形状が略扇状を有している。図２（ｄ）の上方吹き出し口３ｄは、その配列が図１（ｂ）や図２（ａ）と同様であり、孔形状が略楕円状を有している。図２（ｅ）の上方吹き出し口３ｅは、その配列が図１（ｂ）や図２（ａ）と同様であり、孔形状が菱形状を有している。
【００１９】
図３及び図４は本発明の第２実施形態であり、図３はベンチレータ１Ｂの分解斜視図、図４はベンチレータ１Ｂの断面図である。
【００２０】
ベンチレータ１Ｂは、図３及び図４に示すように、車室内前方に配置されたインストルメントパネルである中央インストルメントパネル部１０と、この中央インストルメントパネル部１０に固定されたダクト構造体１１とを備えている。
【００２１】
中央インストルメントパネル１０は、パネル本体１２とこの上面に配置されるグリル１３とから構成されている。パネル本体１２の３箇所には、上方ダクト出口部１４が一体にそれぞれ形成され、この各上方ダクト出口部１４に上方ダクト構造体１１のダクト本体１１ａ（図４に示す）が接続されている。各上方ダクト出口部１４とダクト本体１１ａによって上方ダクト４（図４に示す）が構成されている。３箇所の上方ダクト出口部１４は、車両横方向から見た場合にフロントガラス１５と乗員（図示せず）との間のスペースに風軸方向Ｆが共に設定されているが、車両後方向から見た場合に中央のものはほぼ真上方向に、左側のものは左傾斜方向に、右側のものは右傾斜方向に風軸方向Ｆが向かっている。
【００２２】
グリル１３は、３箇所の上方ダクト出口部１４を覆うようにしてパネル本体１２の上面に固定されている。グリル１３は、パンチングメタルによって構成され、そのほぼ全域に亘って吹き出し口である多数の上方吹き出し口１６が形成されている。多数の上方吹き出し口１６は、前記第１実施形態と同様に、車両前後方向Ａ及び車両幅方向Ｂに規則正しく配列され、車両前後方向Ａに長い長孔状を有している。
【００２３】
又、上方ダクト４の最下流位置となる各上方ダクト出口部１４の下部は、上方吹き出し口１６に向かうに従って徐々に下方に傾斜するガイド面１７として形成されている。
【００２４】
上記構成において、前記第１実施形態と同様に、上方吹き出し口１６が車両前後方向Ａに長い長孔形状に形成されているので、風軸方向Ｆの実質開口幅ｄ２が従来例に較べて広くなる。従って、空調風が上方吹き出し口１６を通過する際に、上方吹き出し口１６の内壁に突き当たる割合が低くなるため、空調風が上方ダクト４のほぼ風軸方向Ｆに沿って上方吹き出し口１６より吹き出される。そして、このように所望の向きに空調風を吹き出させるのに、上方吹き出し口１６の形状を単に長孔状に変更すれば良い。以上より、構造を複雑化することなく、空調風をフロントガラス１５と乗員（図示せず）との間のスペースに向けて吹き出させることができる。
【００２５】
又、この第２実施形態では、上方ダクト出口部１４の下部にガイド面１７を形成したので、上記第１実施形態と同様に、空調風の風向きがコアンダ効果により下方に矯正されるため、空調風の吹き出し方向を下方に修正できる。従って、空調風がフロントガラス１５に当たる事態を確実に防止できる。
【図面の簡単な説明】
【００２６】
【図１】本発明の第１実施形態を示し、（ａ）はベンチレータの概略側面図、（ｂ）は上方吹き出し口の正面図である。
【図２】（ａ）〜（ｅ）は、上方吹き出し口の各変形例の平面図である。
【図３】本発明の第２実施形態を示し、ベンチレータの分解斜視図である。
【図４】本発明の第２実施形態を示し、ベンチレータの断面図である。
【図５】従来例のベンチレータの構成図である。
【図６】従来例の上方吹き出し口の構成図である。
【符号の説明】
【００２７】
１Ａ，１Ｂ  ベンチレータ
２  インストルメントパネル
３，１６  上方吹き出し口（吹き出し口）
４  上方ダクト（ダクト）
５，１５  フロントガラス
６，１７  ガイド面
Ｆ  風軸方向
Ａ  車両前後方向
【図１】
2005289148.tif 000003
【図２】
2005289148.tif 000004
【図３】
2005289148.tif 000005
【図４】
2005289148.tif 000006
【図５】
2005289148.tif 000007
【図６】
2005289148.tif 000008